(57)【要約】【課題】居住空間の広さ及び美観への影響を小さくすることのできるエアシャワー装置及び玄関を提供することを目的とする。【解決手段】エアシャワー装置は、送風機と、送風機から送られた空気を噴射する少なくとも１つの吹出ノズルを備えた吹出ユニットと、空気を吸気する吸込口を備えた吸込ユニットと、玄関の側壁の内部に収納可能であって、吸込口から送風機へ供給される空気の通路となる接続ダクトとを備える。【選択図】図１
2019112822.tif 000002
【特許請求の範囲】
【請求項１】
送風機と、
前記送風機から送られた空気を噴射する少なくとも１つの吹出ノズルを備えた吹出ユニットと、
空気を吸気する吸込口を備えた吸込ユニットと、
玄関の側壁の内部に収納可能であって、前記吸込口から前記送風機へ供給される空気の通路となる接続ダクトとを備えるエアシャワー装置。
【請求項２】
前記接続ダクトは、玄関の側壁の内部において並ぶ複数の軽量鉄骨下地の間に配置可能であることを特徴とする、請求項１に記載のエアシャワー装置。
【請求項３】
前記接続ダクトは、第１筒部材と、第２筒部材とを備え、前記第２筒部材の内部に、前記第１筒部材が差し込まれている請求項１又は２に記載のエアシャワー装置。
【請求項４】
前記接続ダクトの側面と躯体とを連結するための座屈防止金具をさらに備える請求項３に記載のエアシャワー装置。
【請求項５】
前記接続ダクトの上端及び下端には、防振部材を備える請求項１から４のいずれか１項に記載のエアシャワー装置。
【請求項６】
前記吹出ユニットは、平面視で前記接続ダクトに対してずれた位置で、玄関の天井側躯体に吊り下げ可能である請求項１から５のいずれか１項に記載のエアシャワー装置。
【請求項７】
前記吹出ユニットと、前記接続ダクトとを空気が連通するように接続する伸縮可能なダクトホースを備える請求項６に記載のエアシャワー装置。
【請求項８】
玄関扉に対する直交方向から視て、前記吹出ノズルが配置される吹出面の直下の吹出空間の少なくとも一部が前記玄関扉と重なるように、前記吹出ユニットが配置されている請求項１から７のいずれか１項に記載のエアシャワー装置。
【請求項９】
前記玄関扉に対する直交方向から視て、前記吹出空間の水平方向の中心が前記玄関扉と重なるように、前記吹出ユニットが配置されている請求項８に記載のエアシャワー装置。
【請求項１０】
玄関とその他の室とを仕切る内扉に対する直交方向から視て、前記吹出空間の少なくとも一部が前記内扉と重なるように、前記吹出ユニットが配置されている請求項８又は９に記載のエアシャワー装置。
【請求項１１】
前記内扉に対する直交方向から視て、前記吹出空間の水平方向の中心が前記内扉と重なるように、前記吹出ユニットが配置されている請求項１０に記載のエアシャワー装置。
【請求項１２】
請求項１から１１のいずれか１項に記載のエアシャワー装置が設置される玄関。
【発明の詳細な説明】
【技術分野】
【０００１】
本発明は、エアシャワー装置及び玄関に関する。
【背景技術】
【０００２】
人間の体又は衣服等に付着した粒子を低減するためのエアシャワー装置が知られている。エアシャワー装置は、住宅の出入口に設けられることがある。例えば特許文献１には、住宅の出入口に設けられたエアシャワー装置の一例が記載されている。
【先行技術文献】
【特許文献】
【０００３】
【特許文献１】特開２０１４−１８１８５８号公報
【発明の概要】
【発明が解決しようとする課題】
【０００４】
しかしながら、特許文献１のエアシャワー装置は、各壁部の体積の分、設置建屋の出入口が狭くなる。このため、特許文献１のエアシャワー装置は、設置空間に制限があって意匠性も求められる住宅の玄関に設置することは難しい、という問題があった。
【０００５】
本発明は、上記に鑑みてなされたものであって、居住空間の広さ及び美観への影響を小さくすることのできるエアシャワー装置及び玄関を提供することを目的とする。
【課題を解決するための手段】
【０００６】
上述した課題を解決し、目的を達成するために、本開示の一態様は、送風機と、送風機から送られた空気を噴射する少なくとも１つの吹出ノズルを備えた吹出ユニットと、空気を吸気する吸込口を備えた吸込ユニットと、玄関の側壁の内部に収納可能であって、吸込口から送風機へ供給される空気の通路となる接続ダクトとを備えるエアシャワー装置である。
【０００７】
なお、本開示の上記のエアシャワー装置の態様において、接続ダクトは、玄関の側壁の内部において並ぶ複数の軽量鉄骨下地の間に配置可能であることが好ましい。
【０００８】
なお、本開示の上記のエアシャワー装置の態様において、接続ダクトは、第１筒部材と、第２筒部材とを備え、第２筒部材の内部に、第１筒部材が差し込まれていることが好ましい。
【０００９】
なお、本開示の上記のエアシャワー装置の態様において、接続ダクトの側面と躯体とを連結するための座屈防止金具をさらに備えることが好ましい。
【００１０】
なお、本開示の上記のエアシャワー装置の態様において、接続ダクトの上端及び下端には、防振部材を備えることが好ましい。
【００１１】
なお、本開示の上記のエアシャワー装置の態様において、吹出ユニットは、平面視で接続ダクトに対してずれた位置で、玄関の天井側躯体に吊り下げ可能であることが好ましい。
【００１２】
なお、本開示の上記のエアシャワー装置の態様において、吹出ユニットと、接続ダクトとを空気が連通するように接続する伸縮可能なダクトホースを備えることが好ましい。
【００１３】
なお、本開示の上記のエアシャワー装置の態様において、玄関扉に対する直交方向から視て、吹出ノズルが配置される吹出面の直下の吹出空間の少なくとも一部が玄関扉と重なるように、吹出ユニットが配置されていることが好ましい。
【００１４】
なお、本開示の上記のエアシャワー装置の態様において、玄関扉に対する直交方向から視て、吹出空間の水平方向の中心が玄関扉と重なるように、吹出ユニットが配置されていることが好ましい。
【００１５】
なお、本開示の上記のエアシャワー装置の態様において、玄関とその他の室とを仕切る内扉に対する直交方向から視て、吹出空間の少なくとも一部が内扉と重なるように、吹出ユニットが配置されていることが好ましい。
【００１６】
なお、本開示の上記のエアシャワー装置の態様において、内扉に対する直交方向から視て、吹出空間の水平方向の中心が内扉と重なるように、吹出ユニットが配置されていることが好ましい。
【００１７】
本開示の他の一態様は、上記のエアシャワー装置のいずれかが設置される玄関である。
【発明の効果】
【００１８】
本発明によれば、居住空間の広さ及び美観への影響を小さくすることができるという効果を奏する。
【図面の簡単な説明】
【００１９】
【図１】図１は、本発明に係る一実施形態のエアシャワー装置及び玄関の概略正面図である。
【図２】図２は、図１に示すエアシャワー装置の概略底面図である。
【図３】図３は、図１に示すエアシャワー装置の天井収納部の概略側面図である。
【図４】図４は、図１におけるＡ−Ａ断面図である。
【図５】図５は、図４における接続ダクトの拡大図である。
【図６】図６は、図１におけるＢ−Ｂ断面図である。
【図７】図７は、エアシャワー装置が設置される玄関の概略下視図である。
【図８】図８は、エアシャワー装置が設置される第１変形例の玄関を示す概略下視図である。
【図９】図９は、エアシャワー装置が設置される第２変形例の玄関を示す概略下視図である。
【発明を実施するための形態】
【００２０】
以下に、本発明に係るエアシャワー装置及び玄関の実施形態について図面に基づいて詳細に説明する。なお、本発明は、以下の実施形態の記載に限定されるものではない。また、以下の実施形態における構成要素には、当業者が置換可能且つ容易なもの、あるいは実質的に同一のものが含まれる。さらに、以下に記載した構成要素は適宜組み合わせることが可能である。なお、以下の実施形態の説明において、同一構成には同一符号を付し、異なる構成には異なる符号を付すものとする。
【００２１】
（実施形態）
図１は、本発明に係る一実施形態のエアシャワー装置及び玄関の概略正面図である。図２は、エアシャワー装置の天井収納部の概略底面図である。図３は、エアシャワー装置の概略側面図である。
【００２２】
本実施形態のエアシャワー装置１０は、住宅の玄関８０に設けられる。エアシャワー装置１０は、エアシャワー室内に入った利用者に空気を吹き付けて、利用者の頭髪、衣服、又は靴等に付着した粒子を低減する装置である。この粒子は、例えば、塵埃、花粉、黄砂、又はその他の大気汚染物質等である。
【００２３】
図１に示す玄関８０は、天井側躯体８１と、床８２と、側壁８３と、側壁８９と、玄関扉８４を備える側壁９０（図７等参照）と、に囲まれている。玄関８０は、天井側躯体８１の下方に天井板８６を有する。側壁８３、側壁８９及び側壁９０は、側板８７を有する。天井板８６と、床８２と、側板８７とから囲まれた空間がエアシャワー室として機能し、これを室内と称する。なお、側壁８９においては、玄関８０の室内側の側板８７以外の記載を省略している。また、図１の奥側には、廊下、階段又は居室等（以下、その他の室と称す）がある。本開示において、その他の室は、廊下、階段又は居室等の玄関８０以外の室を意味する。
【００２４】
エアシャワー装置１０は、側壁８３内に収納される側壁収納部１１と、天井側躯体８１と天井板８６との間に収納される天井収納部１２と、を含む。側壁収納部１１は、吸込ユニット２０と接続ダクト３０とを備える。天井収納部１２は、ダクトホース４０と送風機５０と吹出ユニット６０とを備える。
【００２５】
吸込ユニット２０は、図１から図３に示すように、例えば略直方体の筐体を備える。吸込ユニット２０は、玄関８０の室内と接続ダクト３０とを連通させる。吸込ユニット２０は、側壁８３の室内側の側板８７に形成した開口と接続ダクト３０の下端近傍において形成された開口３５（図４等参照）とに嵌め挿し込んで設けられる。
【００２６】
吸込ユニット２０の玄関８０の室内に連通する側には、室内の空気を吸気する脱着可能な吸込口２１が設けられる。吸込ユニット２０の吸込口２１の面と、側壁８３の室内側の側板８７の面との位置を合わせることによって、室内の美観を損ねないようにするのが好ましい。また、吸込口２１は、床面から５０ｍｍ以上１５０ｍｍ以下の高さに設け、靴に付着した粒子を効率よく吸気することが好ましい。また、後述するように、側壁収納部１１は、吸込口２１のみが室内に露出し、それ以外の構成は側壁８３内に収納される。このため、例えば、吸込口２１の上方に靴箱等の棚を設置することが可能である。
【００２７】
吸込ユニット２０は、吸込口２１の下流に、接続ダクト３０と吸込口２１とを隔てるプレフィルタ２２を備える。プレフィルタ２２は、粗塵用のエアフィルタであり、吸込口２１から吸気した空気が通過する際に空気中の粗塵を捕集する。例えば、プレフィルタ２２は、５０μｍ以上の粒子を捕集する。プレフィルタ２２は、後述するメインフィルタ６２の負担を軽減させる。プレフィルタ２２は、接続ダクト３０、後述する送風機５０、及び吹出ユニット６０の圧力室６１の内部に粗塵を招くことによる各構成部品の摩耗を低減させる効果を奏する。
【００２８】
プレフィルタ２２は、一般の空調用エアフィルタと同様に、掃除機の隙間ノズル又はブラシノズルで吸引しても耐えうる強度を有する。そのため、利用者等が、吸込口２１を吸込ユニット２０の筐体から取り外し、プレフィルタ２２に直接掃除機をかけるだけで、容易にプレフィルタ２２を手入れすることができる。また、プレフィルタ２２は、水洗いも可能である。利用者等が、さらにプレフィルタ２２を取り外して水洗いすることにより、プレフィルタ２２に捕集された粗塵のほぼ全てを除去することが可能である。
【００２９】
図４から図６は、側壁８３内に配置される接続ダクト３０の構成を示す図である。図４は、図１におけるＡ−Ａ断面図である。図５は、図４における接続ダクトの拡大図である。図６は、図１におけるＢ−Ｂ断面図である。図４及び図６に示すように、側壁８３は、鉛直方向に長い複数の軽量鉄骨下地８８と、面材である側板８７とから構成される。軽量鉄骨下地８８は、下地又はスタッドと称され、一般的に建築で使用されるＣ字形断面の軽量溝形鋼である。複数の軽量鉄骨下地８８は、奥行方向、すなわちＣ字の上下方向が側壁８３の厚さ方向となるよう、天井側躯体８１と床８２との間に所定の間隔をあけて直線状に並べて配置される。２つの側板８７は、軽量鉄骨下地８８の奥行方向の両側面、すなわち軽量鉄骨下地８８のＣ字の上下面に沿って室内側及び室外側に配置される。側板８７は、軽量鉄骨下地８８の奥行方向の両側面に形成した複数の貫通孔において図示せぬビス等によって固定される。
【００３０】
接続ダクト３０は、鉛直方向に延びる角ダクトである。接続ダクト３０は、吸込ユニット２０に連通する下端近傍の開口３５から、ダクトホース４０に連通する上端近傍の接続孔３６まで空気を運ぶ。図６に示すように、接続ダクト３０の奥行寸法Ｄ１は、対向する２つの側板８７間の間隙の距離Ｄ２より小さい。接続ダクト３０の幅寸法Ｗ１は、隣接する２つの軽量鉄骨下地８８間の間隙の距離Ｗ２より小さい。したがって、接続ダクト３０は、隣接する２つの軽量鉄骨下地８８と、２つの側板８７と、天井側躯体８１と、床８２とに囲まれた領域に配置できる。例えば、軽量鉄骨下地８８の奥行が４５ｍｍであり且つ複数の軽量鉄骨下地８８が３０３ｍｍ間隔で設けられる場合、接続ダクト３０の奥行寸法Ｄ１は４０ｍｍ程度であり幅寸法Ｗ１は２５０ｍｍ程度であることが好ましい。
【００３１】
上述したとおり、対向する２つの側板８７は、軽量鉄骨下地８８の奥行方向の両側面に固定されるので、距離Ｄ２は、軽量鉄骨下地８８の奥行寸法に略一致する。隣接する２つの軽量鉄骨下地８８の間に接続ダクト３０を設置するために、接続ダクト３０の奥行寸法Ｄ１及び幅寸法Ｗ１は、予め設定された軽量鉄骨下地８８の寸法及び配置に基づいて決定される。エアシャワー装置１０の機能上で求められる接続ダクト３０の断面積が不足する場合は、３つの隣接する軽量鉄骨下地８８のそれぞれの間に、２つの接続ダクト３０を並べて設ければよい。
【００３２】
図５に示すように、接続ダクト３０は、第１筒部材３１と第２筒部材３２とを備える。第２筒部材３２の内部に第１筒部材３１が差し込まれている。接続ダクト３０は、第１筒部材３１と第２筒部材３２とが重なる部分がシール材等を介してビス３７で固定され、密封した状態を保持している。図５に示すように、第１筒部材３１が長孔３８を備える。なお、第１筒部材３１及び第２筒部材３２の少なくとも一方が、長孔３８を備えていればよい。このような構成によれば、接続ダクト３０は、上下方向長さの調節が可能である。例えば、天井側躯体８１と床８２との間の高さが設計値に対してずれている場合でも接続ダクト３０を設置することができる。以下の説明において、接続ダクト３０の長手方向に対して直交し且つ側壁８３の奥行き方向に対して直交する方向は、幅方向と記載する。
【００３３】
また、接続ダクト３０の第１筒部材３１は、その上端に、第１筒部材３１の幅方向の側面３１Ｓと天井側躯体８１との間を連結するＬ字形の座屈防止金具３３を備える。接続ダクト３０の第２筒部材３２は、その下端に、第２筒部材３２の幅方向の側面３２Ｓと床８２との間を連結するＬ字形の座屈防止金具３３を備える。このような構成によって、接続ダクト３０の座屈が抑制される。
【００３４】
また、接続ダクト３０は、天井側躯体８１と接続ダクト３０の上面との間、及び床８２と接続ダクト３０の下面との間に防振部材３４を備える。防振部材３４は、例えばゴムである。防振部材３４は、接続ダクト３０の振動が外部に伝わることを抑制している。なお、接続ダクト３０の奥行方向の側面と側板８７との間には間隙を設けているが、この間隙にも同様にゴム材の防振部材（図示せぬ）を介在させて、接続ダクト３０を奥行方向にも固定すると共に防振することが好ましい。また、接続ダクト３０は、例えば、防食性が高く安価な溶融５５％アルミニウム−亜鉛合金めっき鋼板製であることが好ましい。
【００３５】
図１から図３に示すように、ダクトホース４０は、接続ダクト３０の上端近傍に形成した接続孔３６（図４等参照）と送風機５０が内部に配置される筐体５１とを接続する継手部材である。接続ダクト３０内を通過した空気は、ダクトホース４０を介して筐体５１内に供給される。ダクトホース４０は、伸縮可能である。接続ダクト３０と筐体５１との間に伸縮可能なダクトホース４０を介在させることによって、送風機５０の振動が接続ダクト３０に伝わることを抑制できる。
【００３６】
送風機５０が内部に配置される筐体５１と、吹出ユニット６０とは一体となっている。筐体５１及び吹出ユニット６０は、防振ハンガー５２によって天井側躯体８１から吊下げられる。防振ハンガー５２は、筐体５１及び吹出ユニット６０の側面に設けられるＬ字状の金具５３等に固定される。送風機５０と天井側躯体８１との間に間隙を設けることで、送風機５０の振動及び騒音が上階に伝わらないようにする効果を奏する。
【００３７】
吹出ユニット６０は、送風機５０の出口に連通して空気を噴射するための空気を蓄える圧力室６１と、メインフィルタ６２と、４つの吹出ノズル６３と、制御ユニット６４とを備える。筐体５１内と圧力室６１とは送風機５０によって隔てられ、圧力室６１と吹出ノズル６３とはメインフィルタ６２によって隔てられる。
【００３８】
送風機５０は、ダクトホース４０を介して筐体５１内に供給された空気を圧縮し、圧縮空気を圧力室６１に送る装置である。送風機５０は、薄型且つ静音のものであることが好ましい。また、筐体５１に図示せぬ吸音材等を内装して送風機５０の騒音を低減させることが好ましい。
【００３９】
メインフィルタ６２は、圧力室６１内に供給された空気を清浄する。メインフィルタ６２は、粒子捕集用のエアフィルタであり、ＨＥＰＡフィルタ（Ｈｉｇｈ  Ｅｆｆｉｃｉｅｎｃｙ  Ｐａｒｔｉｃｕｌａｔｅ  Ａｉｒ  Ｆｉｌｔｅｒ）等の高性能エアフィルタが用いられる。ＨＥＰＡフィルタは、０．３μｍ以上の粒子に対して９９．９７％以上の粒子捕集率をもち、且つ初期圧力損失が２４５Ｐａ以下の性能を持つエアフィルタである。例えば、ＨＥＰＡフィルタの濾紙は主に直径１μｍ以上１０μｍ以下のガラス繊維でできている。メインフィルタ６２は、定期的に交換される。メインフィルタ６２の交換は、吹出ノズル６３を備えるパネルを取り外すことによって可能である。
【００４０】
送風機５０から圧力室６１内に供給された圧縮空気は、メインフィルタ６２を通過して清浄され、吹出ノズル６３から噴射する。吹出ノズル６３からの噴射速度は、例えば２５ｍ／ｓ程度である。吹出ノズル６３を備えるパネルの下面と、天井板８６の面との位置を合わせることによって、室内の美観を損ねないようにするのが好ましい。なお、図２に示すように、本実施形態では、吹出ノズル６３が２つずつ２列に４つ設けられているが、吹出ノズル６３の数及び位置はこれに限定されるものでなく、１つでも構わない。
【００４１】
上述したエアシャワー装置１０においては、玄関８０の室内に入った利用者は、側壁８９等に設けられた操作部Ｓｗを操作する。すると、吹出ユニット６０内の制御ユニット６４が送風機５０を起動させ、送風機５０の上流は陰圧に、送風機５０の下流の圧力室６１内は陽圧となる。これにより、吸込口２１、接続ダクト３０、ダクトホース４０、筐体５１、送風機５０、圧力室６１、吹出ノズル６３、玄関８０の室内を循環する空気の流れが発生する。
【００４２】
吹出ユニット６０において、圧力室６１内の圧力が高まり、メインフィルタ６２を通過して濾過された空気が４つの吹出ノズル６３から噴射する。利用者の頭髪、衣服、又は靴から離脱し、玄関８０の室内の床８２に落下した粒子は、吸込ユニット２０の吸込口２１から空気と共に吸気され、吸気された空気中に含まれる粒子のうち粗塵はプレフィルタ２２によって捕集される。粗塵を捕集された空気は、接続ダクト３０、ダクトホース４０及び筐体５１を通り、送風機５０を介して圧縮されて、吹出ユニット６０の圧力室６１内に供給される。そして、再びメインフィルタ６２によって濾過され、清浄な空気が４つの吹出ノズル６３から噴射される。
【００４３】
例えば、制御ユニット６４はタイマーを備える。制御ユニット６４のタイマーによって、送風機５０の駆動から所定時間経過後に送風機５０が停止する。所定時間は、１秒以上６０秒以下程度であり、例えば１５秒である。所定時間は、例えば操作部Ｓｗを介して利用者が適宜設定可能である。所定時間は、制御ユニット６４において予め設定されてもよい。所定時間は、室内に浮遊する粒子を検知するセンサを含む装置と連携して制御されてもよい。
【００４４】
利用者は、エアシャワー装置１０の稼働中、吹出ノズル６３から噴射される空気を効率的に浴びることが好ましい。
【００４５】
図７において、エアシャワー装置１０の吹出ノズル６３の好適な設置位置について説明する。図７は、エアシャワー装置が設置される玄関の概略下視図である。
【００４６】
ここで、下視において吹出ユニット６０の４つの吹出ノズル６３の外形を結んで囲まれた領域を吹出面と称し、吹出面直下の空間を吹出空間Ｆと定義する。なお、吹出ノズル６３の数及び配置が本実施形態とは異なる場合、吹出ユニット６０に設けられた全ての吹出ノズル６３の外形を結んで囲まれた領域を吹出面とする。吹出ノズル６３が１つの場合は、吹出ノズル６３の直下の空間が吹出空間Ｆとなる。
【００４７】
図７に示すように、玄関８０は、玄関扉８４と、玄関扉８４を有する側壁９０と、を備える。玄関８０の奥側にはその他の室がある。このような玄関８０においては、吹出空間Ｆの少なくとも一部が、玄関扉８４に対する直交方向から視て玄関扉８４に重なるように、吹出ノズル６３が配置される。すなわち、玄関扉８４に対する直交方向から視て、吹出空間Ｆの少なくとも一部が、玄関扉８４の戸先側端部８４Ｅと吊元側端部８４Ｈとの間に位置する。玄関扉８４に対する直交方向は、閉じた状態の玄関扉８４に対する直交方向を意味し、図７の紙面における上下方向である。このような玄関８０の場合、玄関扉８４から入室した利用者が、その他の室に進む途中に、吹出空間Ｆを通る。
【００４８】
さらに、玄関扉８４に対する直交方向から視て、吹出空間Ｆの水平方向の中心Ｃ１が玄関扉８４に重なるように、吹出ノズル６３が配置される。すなわち、玄関扉８４に対する直交方向から視て、中心Ｃ１が玄関扉８４の戸先側端部８４Ｅと吊元側端部８４Ｈとの間に位置する。これにより、吹出ノズル６３から噴射された空気が利用者に当たりやすくなる。
【００４９】
以上で説明したように、エアシャワー装置１０は、送風機５０と、送風機５０から送られた空気を噴射する少なくとも１つの吹出ノズル６３を備えた吹出ユニット６０と、空気を吸気する吸込口２１を備えた吸込ユニット２０と、玄関８０の側壁８３の内部に収納可能であって、吸込口２１から送風機５０へ供給される空気の通路となる接続ダクト３０とを備える。
【００５０】
これにより、エアシャワー装置１０による居住空間の圧迫が抑制される。また、エアシャワー装置１０が目立ちにくくなる。このようなエアシャワー装置１０によれば、居住空間の広さ及び美観への影響を小さくすることができる。
【００５１】
エアシャワー装置１０は、接続ダクト３０が、玄関８０の側壁８３の内部において並ぶ複数の軽量鉄骨下地８８の間に配置可能であることが好ましい。
【００５２】
このようなエアシャワー装置１０によれば、玄関８０への取付が容易である。
【００５３】
エアシャワー装置１０は、接続ダクト３０が、第１筒部材３１と、第２筒部材３２とを備え、第２筒部材３２の内部に、第１筒部材３１が差し込まれていることが好ましい。
【００５４】
このようなエアシャワー装置１０によれば、接続ダクト３０は、上下方向長さの調節が可能である。このため、接続ダクト３０が配置される空間の実際の寸法が設計値に対してずれている場合でも接続ダクト３０を容易に設置することができる。
【００５５】
エアシャワー装置１０は、接続ダクト３０の側面（第１筒部材３１の側面３１Ｓ及び第２筒部材３２の側面３２Ｓ）と躯体（天井側躯体８１及び床８２）とを連結するための座屈防止金具３３をさらに備えることが好ましい。
【００５６】
このようなエアシャワー装置１０によれば、接続ダクト３０の座屈を抑制できる。
【００５７】
エアシャワー装置１０は、接続ダクト３０の上端及び下端には、防振部材３４を備えることが好ましい。
【００５８】
このようなエアシャワー装置１０によれば、接続ダクト３０の振動が外部に伝わることを抑制できる。
【００５９】
エアシャワー装置１０は、吹出ユニット６０は、平面視で接続ダクト３０に対してずれた位置で、玄関８０の天井側躯体８１に吊り下げ可能であることが好ましい。
【００６０】
このようなエアシャワー装置１０によれば、送風機５０と接続ダクト３０との間及び送風機５０と天井側躯体８１との間に間隙を設けることが可能となる。このため、送風機５０の振動が接続ダクト３０、側壁８３及び天井側躯体８１を介して隣接するその他の室及び上階に伝わることを抑制できる。
【００６１】
エアシャワー装置１０は、吹出ユニット６０と、接続ダクト３０とを空気が連通するように接続する伸縮可能なダクトホース４０を備えることが好ましい。
【００６２】
このようなエアシャワー装置１０によれば、送風機５０の振動が接続ダクト３０に伝わることを抑制できる。
【００６３】
エアシャワー装置１０は、玄関扉８４に対する直交方向から視て、吹出ノズル６３が配置される吹出面の直下の吹出空間Ｆの少なくとも一部が玄関扉８４と重なるように、吹出ユニット６０が配置されていることが好ましい。
【００６４】
このようなエアシャワー装置１０によれば、玄関扉８４から入室した利用者が、吹出空間Ｆを通りやすくなる。吹出ノズル６３から噴射された空気が利用者に当たりやすくなる。その結果、粒子が除去されやすくなる。
【００６５】
エアシャワー装置１０は、玄関扉８４に対する直交方向から視て、吹出空間Ｆの水平方向の中心Ｃ１が玄関扉８４と重なるように、吹出ユニット６０が配置されていることが好ましい。
【００６６】
このようなエアシャワー装置１０によれば、吹出ノズル６３から噴射された空気が利用者により当たりやすくなる。
【００６７】
（第１変形例）
図８は、エアシャワー装置が設置される第１変形例の玄関の概略下視図である。図８に示す玄関８０Ａは、玄関扉８４と、玄関扉８４を有する側壁９０と、その他の室に連通する内扉８５と、内扉８５を有する側壁９１と、を備える。玄関８０Ａは、玄関扉８４から室内に入った利用者から視て右側に側壁８３を備える。玄関８０Ａは、玄関扉８４から室内に入った利用者から視て左側に側壁８９を備える。内扉８５を設けることによって、玄関８０Ａは、エアシャワー装置１０が稼働する際、室内からその他の室へ粒子が散乱することを防止することができる。このような玄関８０Ａにおいては、吹出空間Ｆの少なくとも一部が、玄関扉８４に対する直交方向から視て玄関扉８４に重なるように、吹出ノズル６３が配置される。すなわち、玄関扉８４に対する直交方向から視て、吹出空間Ｆの少なくとも一部が、玄関扉８４の戸先側端部８４Ｅと吊元側端部８４Ｈとの間に位置する。また、吹出空間Ｆの少なくとも一部が、内扉８５に対する直交方向から視て、内扉８５に重なるように、吹出ノズル６３が配置される。すなわち、内扉８５に対する直交方向から視て、吹出空間Ｆの少なくとも一部が、内扉８５の戸先側端部８５Ｅと吊元側端部８５Ｈとの間に位置する。玄関扉８４に対する直交方向は、閉じた状態の玄関扉８４に対する直交方向を意味し、図８の紙面における上下方向である。内扉８５に対する直交方向は、閉じた状態の内扉８５に対する直交方向を意味し、図８の紙面における上下方向である。このような玄関８０Ａの場合、玄関扉８４から入室した利用者が、内扉８５に進む途中に、吹出空間Ｆを通る。
【００６８】
さらに、玄関扉８４に対する直交方向から視て、吹出空間Ｆの水平方向の中心Ｃ１が、玄関扉８４に重なるように、吹出ノズル６３が配置される。すなわち、玄関扉８４に対する直交方向から視て、中心Ｃ１が、玄関扉８４の戸先側端部８４Ｅと吊元側端部８４Ｈとの間に位置する。また、内扉８５に対する直交方向から視て、吹出空間Ｆの水平方向の中心Ｃ１が、内扉８５に重なるように、吹出ノズル６３が配置される。すなわち、内扉８５に対する直交方向から視て、中心Ｃ１が、内扉８５の戸先側端部８５Ｅと吊元側端部８５Ｈとの間に位置する。これにより、吹出ノズル６３から噴射された空気が利用者に当たりやすくなる。
【００６９】
以上で説明したように、第１変形例のエアシャワー装置１０は、玄関８０Ａとその他の室とを仕切る内扉８５に対する直交方向から視て、吹出空間Ｆの少なくとも一部が内扉８５と重なるように、吹出ユニット６０が配置されている。
【００７０】
このようなエアシャワー装置１０によれば、玄関扉８４から入室した利用者が、吹出空間Ｆを通りやすくなる。吹出ノズル６３から噴射された空気が利用者に当たりやすくなる。その結果、粒子が除去されやすくなる。
【００７１】
エアシャワー装置１０は、内扉８５に対する直交方向から視て、吹出空間Ｆの水平方向の中心Ｃ１が内扉８５と重なるように、吹出ユニット６０が配置されていることが好ましい。
【００７２】
このようなエアシャワー装置１０によれば、吹出ノズル６３から噴射された空気が利用者により当たりやすくなる。
【００７３】
（第２変形例）
図９は、エアシャワー装置が設置される第２変形例の玄関の概略下視図である。図９に示す玄関８０Ｂは、図８に示す玄関８０Ａのさらに別の様態であり、玄関扉８４と、玄関扉８４を有する側壁９０と、その他の室に連通する内扉８５と、内扉８５を有する側壁８３と、を備える。玄関８０Ｂは、玄関扉８４から室内に入った利用者から視て左側に側壁８９を備える。玄関８０Ｂは、玄関扉８４から室内に入った利用者から視て奥側に側壁９１を備える。このような玄関８０Ｂにおいては、吹出空間Ｆの少なくとも一部が、玄関扉８４に対する直交方向から視て玄関扉８４に重なるように、吹出ノズル６３が配置される。すなわち、玄関扉８４に対する直交方向から視て、吹出空間Ｆの少なくとも一部が、玄関扉８４の戸先側端部８４Ｅと吊元側端部８４Ｈとの間に位置する。また、吹出空間Ｆの少なくとも一部が、内扉８５に対する直交方向から視て内扉８５に重なるように、吹出ノズル６３が配置される。すなわち、内扉８５に対する直交方向から視て、吹出空間Ｆの少なくとも一部が、内扉８５の戸先側端部８５Ｅと吊元側端部８５Ｈとの間に位置する。玄関扉８４に対する直交方向は、閉じた状態の玄関扉８４に対する直交方向を意味し、図９の紙面における上下方向である。内扉８５に対する直交方向は、閉じた状態の内扉８５に対する直交方向を意味し、図９の紙面における左右方向である。このような玄関８０Ｂの場合、玄関扉８４から入室した利用者が、内扉８５に進む途中に、吹出空間Ｆを通る。
【００７４】
さらに、玄関扉８４に対する直交方向から視て、吹出空間Ｆの水平方向の中心Ｃ１が、玄関扉８４に重なるように、吹出ノズル６３が配置される。すなわち、玄関扉８４に対する直交方向から視て、中心Ｃ１が、玄関扉８４の戸先側端部８４Ｅと吊元側端部８４Ｈとの間に位置する。また、内扉８５に対する直交方向から視て、吹出空間Ｆの水平方向の中心Ｃ２が、内扉８５に重なるように、吹出ノズル６３が配置される。すなわち、内扉８５に対する直交方向から視て、中心Ｃ２が、内扉８５の戸先側端部８５Ｅと吊元側端部８５Ｈとの間に位置する。これにより、吹出ノズル６３から噴射された空気が利用者に当たりやすくなる。
【００７５】
以上で説明したように、第２変形例のエアシャワー装置１０は、玄関８０Ｂとその他の室とを仕切る内扉８５に対する直交方向から視て、吹出空間Ｆの少なくとも一部が内扉８５と重なるように、吹出ユニット６０が配置されていることが好ましい。
【００７６】
このようなエアシャワー装置１０によれば、玄関扉８４から入室した利用者が、吹出空間Ｆを通りやすくなる。吹出ノズル６３から噴射された空気が利用者に当たりやすくなる。その結果、粒子が除去されやすくなる。
【００７７】
エアシャワー装置１０は、内扉８５に対する直交方向から視て、吹出空間Ｆの水平方向の中心Ｃ２が内扉８５と重なるように、吹出ユニット６０が配置されていることが好ましい。
【００７８】
このようなエアシャワー装置１０によれば、吹出ノズル６３から噴射された空気が利用者により当たりやすくなる。
【００７９】
ところで、これまで説明した各実施形態において、接続ダクト３０（図１等参照）を備える側壁８３は玄関扉８４から右側の側壁８３であるとして説明していた。しかしながら、接続ダクト３０は、側壁８９、側壁９０又は側壁９１に設けても構わないし、玄関扉８４又は内扉８５に隣接するように設けても構わない。玄関８０Ａ及び玄関８０Ｂにおいても、接続ダクト３０の位置は限定されない。
【００８０】
また、本実施形態においては、接続ダクト３０と、ダクトホース４０と、送風機５０とを備える筐体５１と、吹出ユニット６０とが直線配置されている。しかしながら、例えば、図１における筐体５１の奥側にダクトホース４０及び接続ダクト３０が配置されるよう、筐体５１の奥側の側面にダクトホース４０との接続部を設けてもよい。ダクトホース４０にフレキシブルダクトホース等を用い、例えば、筐体５１の右奥側に接続ダクト３０が配置されるようにすることも可能である。
【００８１】
また、本実施形態のエアシャワー装置１０においては、吸込ユニット２０にプレフィルタ２２が設けられ、吹出ユニット６０にメインフィルタ６２が設けられている。しかしながら、例えば、エアシャワー装置１０は、プレフィルタ２２及びメインフィルタ６２のいずれか一方を、吸込ユニット２０及び吹出ユニット６０のいずれか一方に備えてもよい。エアシャワー装置１０は、プレフィルタ２２及びメインフィルタ６２を備えていなくてもよい。
【００８２】
なお、実施形態において説明した各構成は、発明の趣旨を逸脱しない範囲で各実施形態内の他の構成と組み合わせてもよい。また、これらの各構成は、発明の趣旨を逸脱しない範囲で各実施形態とは異なる他の実施形態内の構成と組み合わせてもよい。また、発明の趣旨を逸脱しない範囲で、種々の改変を行ってもよい。
【符号の説明】
【００８３】
１０  エアシャワー装置
１１  側壁収納部
１２  天井収納部
２０  吸込ユニット
２１  吸込口
２２  プレフィルタ
３０  接続ダクト
３１  第１筒部材
３１Ｓ  側面
３２  第２筒部材
３２Ｓ  側面
３３  座屈防止金具
３４  防振部材
３５  開口
３６  接続孔
３７  ビス
３８  長孔
４０  ダクトホース
５０  送風機
５１  筐体
５２  防振ハンガー
５３  金具
６０  吹出ユニット
６１  圧力室
６２  メインフィルタ
６３  吹出ノズル
６４  制御ユニット
８０、８０Ａ、８０Ｂ  玄関
８１  天井側躯体
８２  床
８３  側壁
８４  玄関扉
８４Ｅ  戸先側端部
８４Ｈ  吊元側端部
８５  内扉
８５Ｅ  戸先側端部
８５Ｈ  吊元側端部
８６  天井板
８７  側板
８８  軽量鉄骨下地
８９、９０、９１  側壁
Ｆ  吹出空間
Ｃ１  中心
Ｃ２  中心
Ｓｗ  操作部
【図１】
2019112822.tif 000003
【図２】
2019112822.tif 000004
【図３】
2019112822.tif 000005
【図４】
2019112822.tif 000006
【図５】
2019112822.tif 000007
【図６】
2019112822.tif 000008
【図７】
2019112822.tif 000009
【図８】
2019112822.tif 000010
【図９】
2019112822.tif 000011
【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
送風機と、
前記送風機から送られた空気を噴射する少なくとも１つの吹出ノズルを備えた吹出ユニットと、
空気を吸気する吸込口を備えた吸込ユニットと、
玄関の側壁の内部に収納可能であって、前記吸込口から前記送風機へ供給される空気の通路となる接続ダクトとを備え、
前記接続ダクトは、玄関の側壁の内部において並ぶ複数の軽量鉄骨下地の間に配置可能であり、
前記吸込ユニットは、前記接続ダクトの側面に設けられた開口に接続されるエアシャワー装置。
【請求項２】
前記接続ダクトは、第１筒部材と、第２筒部材とを備え、前記第２筒部材の内部に、前記第１筒部材が差し込まれている請求項１に記載のエアシャワー装置。
【請求項３】
前記接続ダクトの側面と躯体とを連結するための座屈防止金具をさらに備える請求項２に記載のエアシャワー装置。
【請求項４】
前記接続ダクトの上端及び下端には、防振部材を備える請求項１から３のいずれか１項に記載のエアシャワー装置。
【請求項５】
前記吹出ユニットは、平面視で前記接続ダクトに対してずれた位置で、玄関の天井側躯体に吊り下げ可能である請求項１から４のいずれか１項に記載のエアシャワー装置。
【請求項６】
前記吹出ユニットと、前記接続ダクトとを空気が連通するように接続する伸縮可能なダクトホースを備える請求項５に記載のエアシャワー装置。
【請求項７】
玄関扉に対する直交方向から視て、前記吹出ノズルが配置される吹出面の直下の吹出空間の少なくとも一部が前記玄関扉と重なるように、前記吹出ユニットが配置されている請求項１から６のいずれか１項に記載のエアシャワー装置。
【請求項８】
前記玄関扉に対する直交方向から視て、前記吹出空間の水平方向の中心が前記玄関扉と重なるように、前記吹出ユニットが配置されている請求項７に記載のエアシャワー装置。
【請求項９】
玄関とその他の室とを仕切る内扉に対する直交方向から視て、前記吹出空間の少なくとも一部が前記内扉と重なるように、前記吹出ユニットが配置されている請求項７又は８に記載のエアシャワー装置。
【請求項１０】
前記内扉に対する直交方向から視て、前記吹出空間の水平方向の中心が前記内扉と重なるように、前記吹出ユニットが配置されている請求項９に記載のエアシャワー装置。
【請求項１１】
請求項１から１０のいずれか１項に記載のエアシャワー装置が設置される玄関。
【手続補正書】
【提出日】平成31年1月9日(2019.1.9)
【手続補正１】
【補正対象書類名】特許請求の範囲
【補正対象項目名】全文
【補正方法】変更
【補正の内容】
【特許請求の範囲】
【請求項１】
エアシャワー装置が設置される玄関であって、
前記エアシャワー装置は、
送風機と、
前記玄関の玄関扉より内側に設けられ、前記送風機から送られた空気を噴射する少なくとも１つの吹出ノズルを備えた吹出ユニットと、
空気を吸気する吸込口を備えた吸込ユニットと、
玄関の側壁の内部に収納可能であって、前記吸込口から前記送風機へ供給される空気の通路となる接続ダクトとを備え、
前記接続ダクトは、玄関の側壁の内部において並ぶ複数の軽量鉄骨下地の間に配置可能であり、
前記吸込ユニットは、前記接続ダクトの側面に設けられた開口に接続され、
前記吹出ユニットは、玄関扉に対する直交方向から視て、前記吹出ノズルが配置される吹出面の直下の吹出空間の少なくとも一部が前記玄関扉と重なるように配置されている玄関。
【請求項２】
前記玄関扉に対する直交方向から視て、前記吹出空間の水平方向の中心が前記玄関扉と重なるように、前記吹出ユニットが配置されている請求項１に記載の玄関。
【請求項３】
玄関とその他の室とを仕切る内扉に対する直交方向から視て、前記吹出空間の少なくとも一部が前記内扉と重なるように、前記吹出ユニットが配置されている請求項１又は２に記載の玄関。
【請求項４】
前記内扉に対する直交方向から視て、前記吹出空間の水平方向の中心が前記内扉と重なるように、前記吹出ユニットが配置されている請求項３に記載の玄関。
【請求項５】
前記接続ダクトは、第１筒部材と、第２筒部材とを備え、前記第２筒部材の内部に、前記第１筒部材が差し込まれている請求項１から４のいずれか１項に記載の玄関。
【請求項６】
前記接続ダクトの側面と躯体とを連結するための座屈防止金具をさらに備える請求項５に記載の玄関。
【請求項７】
前記接続ダクトの上端及び下端には、防振部材を備える請求項１から６のいずれか１項に記載の玄関。
【請求項８】
前記吹出ユニットは、平面視で前記接続ダクトに対してずれた位置で、玄関の天井側躯体に吊り下げ可能である請求項１から７のいずれか１項に記載の玄関。
【請求項９】
前記吹出ユニットと、前記接続ダクトとを空気が連通するように接続する伸縮可能なダクトホースを備える請求項８に記載の玄関。